【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
単一のイメージングモダリティにおいて、介入デバイス及び前記介入デバイスを囲む身体組織の改善された描写のために構成されるイメージング装置であって、
前記介入デバイス及び前記組織を含む被検体にインタロゲートし、或るパラメータに関して、前記介入デバイスを表すデバイス領域及び前記組織を表す組織領域の一方又は他方により良く合わせられる前記パラメータの値を使用して、第１の画像又は第２の画像をそれぞれ生成する画像取得及び形成回路と、
共に前記単一のイメージンモダリティの画像である前記第１の画像及び前記第２の画像から協働的に、前記組織によって囲まれるように示される前記介入デバイスの画像である合成像を形成する画像合成回路であって、
前記合成像の前記形成が、（i）前記第１の画像から、前記介入デバイスの画像をセグメント化し抽出し、当該セグメント化され抽出された画像を前記第２の画像上にオーバレイし、（ｉｉ）前記第２の画像から、前記組織の画像をセグメント化し抽出し、当該セグメント化され抽出された画像を前記第１の画像上にオーバレイすること、を含み、
前記合成像には、前記介入デバイスと前記組織との間の境界、並びに前記境界の内側及び外側の個々の近傍部分、が存在し、前記内側の近傍部分は前記第１の画像の一部であり、前記外側の近傍部分は前記第２の画像の一部であるように、前記合成像が構成される、画像合成回路と、
前記協働的な形成を通じて前記合成像の複数を動的に生成するように前記画像取得及び形成回路及び前記画像合成回路を動的に起動する制御回路と、
を有するイメージング装置。
【請求項２】
前記合成される画像は、前記パラメータのそれぞれ異なる値を使用して形成される、請求項１に記載のイメージング装置。
【請求項３】
一方の前記値が、前記デバイス領域により良く合わせられ、他方の前記値が、前記デバイス領域と比べて前記組織領域により良く合わせられ、一方の前記値が、前記組織領域により良く合わせられる場合、他方の前記値が、前記組織領域と比べて前記デバイス領域により良く合わせられる、請求項２に記載のイメージング装置。
【請求項４】
前記値が、前記デバイス領域に又は前記組織領域に合われているかにかかわらず、前記値は同じパラメータのものである、請求項１に記載のイメージング装置。
【請求項５】
前記デバイス領域に合わせられる前記値は、１のパラメータに関連し、前記組織領域に合わせられる前記値は、別のパラメータに関連する、請求項１に記載のイメージング装置。
【請求項６】
前記合成像は、前記介入デバイスのその描写の外側の部分を有し、当該部分が、カラーを有し、前記介入デバイスの描写が、異なるカラーを有する、請求項１に記載のイメージング装置。
【請求項７】
前記合成像の形成は、エッジ強調を前記介入デバイスの描写に適用することを含む、請求項１に記載のイメージング装置。
【請求項８】
前記画像取得及び形成回路は、複数ステージを含むパイプラインを有し、前記第１又は前記第２の画像のそれぞれについて、前記使用は、画像処理が用いられる場合に当該画像処理がスキャンコンバートされた画像に実施される前のステージで行われる、請求項１に記載のイメージング装置。
【請求項９】
前記第２の画像の一部は、前記デバイス領域を直接囲み、前記合成像において、前記直接囲む部分は、前記介入デバイスを直接囲む、請求項１に記載のイメージング装置。
【請求項１０】
前記画像取得及び形成回路は、前記第１の画像を生成するために利用される第１のプリセットが前記第２の画像を生成するために利用される第２のプリセットと異なるようにする、請求項１に記載のイメージング装置。
【請求項１１】
前記値は、前記プリセットのうち１のプリセットにおいて、イメージング取得パラメータの値であり、又は前記プリセットのうち１のプリセットにおいて、後処理パラメータの値である、請求項１０に記載のイメージング装置。
【請求項１２】
前記介入デバイスは、金属部分及び僧帽弁クリップの少なくとも１つを含む、請求項１に記載のイメージング装置。
【請求項１３】
前記インタロゲートは、前記第１の画像と前記第２の画像とで異なる特定の空間方向から実施される、請求項１に記載のイメージング装置。
【請求項１４】
単一の医療イメージングモダリティにおける、介入デバイス及び前記介入デバイスを囲む身体組織の改善された描写のためのイメージング方法であって、
エネルギーの放出及び受け取りにより、前記介入デバイス及び前記組織を含む被検体にインタロゲートするステップと、
或るパラメータに関して、前記介入デバイスを表すデバイス領域及び前記組織を表す組織領域の一方又は他方により良く合わせられる前記パラメータの値を使用して、第１の画像又は第２の画像をそれぞれ生成するステップであって、プロセッサが、複数ステージを含むパイプラインを有し、前記第１又は前記第２の画像について、前記使用は、画像処理が用いられる場合に当該画像処理がスキャンコンバートされた画像に実施される前に、前記ステージの１つのステージにおいて行われる、ステップと、
コンピュータを使用して、共に前記単一のイメージンモダリティの画像である前記第１の画像及び前記第２の画像から協働的に、前記組織によって囲まれるように示される前記介入デバイスの画像である合成像を形成するステップであって、
前記合成像の前記形成が、（i）前記第１の画像から、前記介入デバイスの画像をセグメント化し抽出し、当該セグメント化され抽出された画像を前記第２の画像上にオーバレイし、（ｉｉ）前記第２の画像から、前記組織の画像をセグメント化し抽出し、当該セグメント化され抽出された画像を前記第１の画像上にオーバレイすること、を含み、
前記合成像には、前記介入デバイスと前記組織との間の境界、並びに前記境界の内側及び外側の個々の近傍部分、が存在し、前記内側の近傍部分は前記第１の画像の一部であり、前記外側の近傍部分は前記第２の画像の一部であるように、前記合成像が構成される、ステップと、
を含むイメージング方法。
【請求項１５】
単一医療イメージングモダリティにおいて、介入デバイス及び前記介入デバイスを囲む身体組織の改善された描写を提供する医療イメージング用のプログラムを具体化した非一時的コンピュータ可読媒体であって、前記プログラムは、
或るパラメータに関して、前記介入デバイスを表すデバイス領域及び前記組織を表す組織領域の一方又は他方により良く合わせられる前記パラメータの値を使用して、第１の画像又は第２の画像をそれぞれ生成するステップと、
共に前記単一のイメージンモダリティの画像である第１の画像及び第２の画像をペアにするために、前記第１の画像及び前記第２の画像を生成するように前記使用するステップを繰り返し動的に実行し、前記ペアから、前記組織によって囲まれるように示される前記介入デバイスの画像である合成像の複数を繰り返し動的に形成するステップと、
を実行するための、プロセッサによって実行可能な命令を有し、
前記合成像の各々の前記形成が、（i）前記第１の画像から、前記介入デバイスの画像をセグメント化し抽出し、当該セグメント化され抽出された画像を前記第２の画像上にオーバレイし、（ｉｉ）前記第２の画像から、前記組織の画像をセグメント化し抽出し、当該セグメント化され抽出された画像を前記第１の画像上にオーバレイすること、を含み、
前記合成像には、前記介入デバイスと前記組織との間の境界、並びに前記境界の内側及び外側の個々の近傍部分、が存在し、前記内側の近傍部分は前記第１の画像の一部であり、前記外側の近傍部分は前記第２の画像の一部であるように、前記合成像の各々が構成される、コンピュータ可読媒体。